(57)【要約】【課題】  小さい表示画面を有する携帯端末の表示部において、回転ダイヤルを用いて二次元的に広がるコンテンツのビュー操作（スクロール操作）を可能とする。【解決手段】  回転ダイヤルであるジョグダイヤル４１の回転方向ａに対応して、ビュー３のスクロール方向を、上下方向ｂか左右方向ｃか切替えるためのボタン４２を設ける。このボタン４２が押下された時には、ジョグダイヤル４１の回転方向に応じて左右方向ｃのスクロールを、またその回転量に応じてスクロールの量を制御する。ボタン４２が押下されていない時には、ジョグダイヤル４１の回転方向に応じて上下方向ｂのスクロールを、またその回転量に応じてスクロールの量を制御する。これにより、二次元的に広がるコンテンツ１００の隅々まで、ユーザは確認できる。【選択図】      図２
2008152682.tif 000002
【特許請求の範囲】
【請求項１】
携帯端末における表示制御装置であって、回転自在なキーの回転操作に応じて、表示内容の上下方向のスクロールの他に、表示内容の左右方向のスクロールをも自在とする手段を含むことを特徴とする表示制御装置。
【請求項２】
前記手段は、方向切替ボタンと、前記方向切替ボタンのオンオフ操作に応じて、前記表示内容の上下方向のスクロールか左右方向のスクロールかを切替えるよう制御する制御手段とを有することを特徴とする請求項１記載の表示制御装置。
【請求項３】
前記キーは、回転自在である他に上下左右の押下が自在であり、前記手段は、前記キーの上下の押下時に、前記キーの回転操作に応じて表示内容の上下方向のスクロールをなし、前記キーの左右の押下時に、前記キーの回転操作に応じて表示内容の左右方向のスクロールをなすよう制御することを特徴とする請求項１記載の表示制御装置。
【請求項４】
請求項１〜３いずれか記載の表示制御装置を用いたことを特徴とする携帯端末。
【請求項５】
携帯端末における表示制御方法であって、回転自在なキーの回転操作に応じて、表示内容の上下方向のスクロールの他に、表示内容の左右方向のスクロールをも自在とするステップを含むことを特徴とする表示制御方法。
【請求項６】
前記ステップは、別に設けられた方向切替ボタンのオンオフ操作に応じて、前記表示内容の上下方向のスクロールか左右方向のスクロールかを切替えるよう制御することを特徴とする請求項５記載の表示制御方法。
【請求項７】
前記キーは、回転自在である他に上下左右の押下が自在であり、前記ステップは、前記キーの上下の押下時に、前記キーの回転操作に応じて表示内容の上下方向のスクロールをなし、前記キーの左右の押下時に、前記キーの回転操作に応じて表示内容の左右方向のスクロールをなすよう制御することを特徴とする請求項５記載の表示制御方法。
【請求項８】
携帯端末における表示制御方法をコンピュータに実行させるためのプログラムであって、回転自在なキーの回転操作に応じて、表示内容の上下方向のスクロールの他に、表示内容の左右方向のスクロールをも自在とする処理を含むことを特徴とするプログラム。
【発明の詳細な説明】
【技術分野】
【０００１】
本発明は表示制御装置及びその方法並びにそれを用いた携帯端末に関し、特に携帯端末における表示部での表示制御方式に関するものである。
【背景技術】
【０００２】
携帯電話機に代表される携帯端末において扱うことができるコンテンツの種類が多くなってきており、パーソナルコンピュータ（ＰＣ）を対象としたコンテンツが携帯端末上でも表示可能となりつつある。一方、情報処理装置の操作手段の１つとして、いわゆるジョグダイヤルがあり、このジョグダイヤルは、ユーザの直感的な操作ができるもの（回転量や回転のスピードを変えることにより、表示のためのビュー（表示デバイスに表示される部分）の移動量を調整可能）となってはいるが、一次元方向（前後方向）のビューの移動のみが可能となっている。
【０００３】
携帯端末では、表示デバイスが小さくならざるを得ないが、この小さな表示デバイスに対して、表示デバイスの幅で、テキストベースのコンテンツを折り返し処理して表示していることが多い。このような表示デバイスの幅に合わせて表示できるコンテンツでは、コンテンツ表示のスクロール操作は上下方向の一次元であり、図６（Ａ）に示すジョグダイヤル４１の回転方向ａを、図６（Ｂ）に示す如く、スクロール上下方向、回転量を、スクロール幅に対応させることにより、コンテンツ１００の全体を確認することが可能となっている。
【０００４】
しかしながら、近年、通信網の整備が進み、かつ携帯端末の処理能力向上に伴って、流通するコンテンツ１００は、図６（Ｃ）に示すように、イメージとテキストとが混在するようになってきている。すなわち、コンテンツ表示が上下の一次元方向の広がりから、二次元方向への広がりに変化してきており、先述した如く、ジョグダイヤル４１の一次元操作で、二次元方向に広がるコンテンツを操作することはできず、ユーザは不便を感じるようになってきている。なお、図６において、３は表示デバイスに表示される部分であってビューと称される部分を示している。
【０００５】
ここで、特許文献１を参照すると、携帯電話機を含む携帯端末の操作部に設けられた回転ダイヤル（ジョグダイヤル）を用いてメニュー選択操作をなす場合に、別に設けられているキー操作に応じて、回転ダイヤルの回転方向に対応するメニューの所望回転方向を設定することができるようにした技術が開示されている。
【０００６】
【特許文献１】特開２００５−０７８１４５号公報
【発明の開示】
【発明が解決しようとする課題】
【０００７】
この特許文献１の技術では、回転ダイヤルの回転方向に対応してメニューの所望回転方向を設定可能としたものであって、上述したように、二次元方向に広がるコンテンツのビューを、操作することは考慮されていない。
【０００８】
本発明の目的は、回転ダイヤルを用いて二次元的に広がるコンテンツのビュー操作を可能とした表示制御装置及びその方法並びにそれを用いた携帯端末を提供することである。
【課題を解決するための手段】
【０００９】
本発明による表示制御装置は、携帯端末における表示制御装置であって、回転自在なキーの回転操作に応じて、表示内容の上下方向のスクロールの他に、表示内容の左右方向のスクロールをも自在とする手段を含むことを特徴とする。
【００１０】
本発明による携帯端末は、上記の表示制御装置を用いたことを特徴とする。
【００１１】
本発明による表示制御方法は、携帯端末における表示制御方法であって、回転自在なキーの回転操作に応じて、表示内容の上下方向のスクロールの他に、表示内容の左右方向のスクロールをも自在とするステップを含むことを特徴とする。
【００１２】
本発明によるプログラムは、携帯端末における表示制御方法をコンピュータに実行させるためのプログラムであって、回転自在なキーの回転操作に応じて、表示内容の上下方向のスクロールの他に、表示内容の左右方向のスクロールをも自在とする処理を含むことを特徴とする。
【発明の効果】
【００１３】
本発明によれば、回転ダイヤルによるビューの移動方向を切替えることによって、４方向（二次元方向）のビュー移動を可能とし、二次元的に広がるコンテンツの内容を隅々まで、ユーザが確認することができるという効果がある。
【発明を実施するための最良の形態】
【００１４】
以下に、本発明の実施例について図面を用いて説明する。図１は本発明の実施例の携帯端末の概略機能ブロック図である。図１を参照すると、本発明の実施例による携帯端末は、アンテナ１と、無線部２と、表示部３と、キー操作部４と、メモリ５と、制御部６とを含んで構成されている。無線部２はアンテナ１を介して通信網（図示せず）との無線通信（音声やデータ通信）をなす機能であり、表示部２は通信網から受けたコンテンツなどの表示をなす機能である。
【００１５】
キー操作部４はジョグダイヤル（回転ダイヤル）を含む各種のキーを有するマンマシンインタフェース機能であり、メモリ５はデータや各種アプリケーションソフト（プログラム）などを記憶する機能を有している。制御部６はこのメモリ５に記憶されたプログラムにより動作して、各部２〜５を制御するＣＰＵ（コンピュータ）の機能を有している。
【００１６】
図２は本発明の実施例の動作を説明するための図であり、（Ａ）に示す如く、ジョグダイヤル４１の他に、このジョグダイヤル４１からの操作入力を、上下方向の移動指示か左右方向の移動指示かに切替えるためのビュー方向切替ボタン４２が、キー操作部４に設けられている。このビュー方向切替ボタン４２が押下操作されていなければ、ジョグダイヤル４１の矢印ａ方向の回転操作に応じて、図２（Ｂ）に示す如く、コンテンツ１００のスクロール操作を、上下方向ｂとする。
【００１７】
一方、ビュー方向切替ボタン４２が押下操作されていれば、ジョグダイヤル４１の矢印ａ方向の回転操作に応じて、図２（Ｃ）に示す如く、コンテンツ１００のスクロール操作を、左右方向ｃとするのである。このジョグダイヤル４１の回転操作を、上下／左右方向の移動指示に切替える制御は、図１の制御部６により行われる。その場合の制御動作のフローチャートが図３に示されている。
【００１８】
図３を参照すると、ビュー方向切替ボタン４２が押下されていなければ（オフ状態）（ステップＳ１のＮＯ）、ジョグダイヤル４１の回転方向ａ（時計／反時計方向）に応じて上／下方向にビュー３の移動を行い、その移動量はジョグダイヤル４１の回転量に応じたものとなるよう、制御部６は制御を行うことになる（ステップＳ２）。
【００１９】
一方、ステップＳ１でＹＥＳの場合、すなわち、ビュー方向切替ボタン４２が押下されていれば（オン状態）、ジョグダイヤルの回転方向ａ（時計／反時計方向）に応じて左／右方向にビュー３の移動を行い、その移動量はジョグダイヤル４１の回転量に応じたものとなるよう、制御部６は制御を行うことになる（ステップＳ３）。
【００２０】
こうすることにより、図２に示した二次元的に広がるコンテンツを画面表示のために切出すビュー３の移動方向を、ジョグダイヤル４１の回転操作に応じて、上下左右の４方向全てに制御することができ、よって、コンテンツの隅々までを、ユーザは確認することができる。
【００２１】
次に、本発明の他の実施例について図面を参照して説明する。本実施例による携帯端末の機能ブロックは図１と同じであり、よってその説明は省略する。図４は本実施例の動作を説明するための図であり、図２と同等部分は同一符号により示している。本例においては、図４（Ａ）の如く、先の実施例におけるビュー方向切替ボタン４２を省いて、その代りに、このビュー方向切替機能をジョグダイヤル４１にて兼用するようにしている。
【００２２】
すなわち、この場合におけるジョグダイヤル４１は、ジョグダイヤルの機能の他に、上下左右の４方向キーの機能をも有するものとする。ユーザがこのジョグダイヤル兼４方向キー４１の上もしくは下を押下すると、ジョグダイヤルの回転操作は、ビュー３を上下方向に移動可能な状態となる（図４（Ｂ）の矢印ｂ参照）。以降のジョグダイヤルの回転操作は、回転方向、回転量に応じて、ビュー３の上下方向ｂ、その移動量に変換される。
【００２３】
一方、ユーザがジョグダイヤル兼４方向キー４１の左もしくは右を押下すると、ジョグダイヤルの回転操作は、ビュー３を左右方向に移動可能な状態となる（図４（Ｃ）の矢印ｃ参照）。以降のジョグダイヤルの回転操作は、回転方向、回転量に応じて、ビュー３の左右方向ｃ、その移動量に変換される。
【００２４】
図５を参照すると、ユーザによるジョグダイヤル兼４方向キー４１の上／下の押下がなされると（ステップＳ１１で上／下）、当該キー４１の回転方向（時計／反時計方向）に応じて上／下方向にビュー３の移動を行い、その移動量はキー４１の回転量に応じたものとなるよう、制御部６は制御を行うことになる（ステップＳ１２）。
【００２５】
一方、ユーザによるジョグダイヤル兼４方向キー４１の左／右の押下がなされると（ステップＳ１１で左／右）、当該キー４１の回転方向（時計／反時計方向）に応じて左／右方向にビュー３の移動を行い、その移動量はキー４１の回転量に応じたものとなるよう、制御部６は制御を行うことになる（ステップＳ１３）。
【００２６】
こうすることにより、先の実施例のように、特別に、ビュー方向切替ボタンを設けなくても、二次元的に広がるコンテンツを画面表示のために切出すビュー３の移動方向を、当該キーの回転操作に応じて、上下左右の４方向全てに制御することができ、よってボタンの増設なくコンテンツの隅々までを、ユーザは確認することが可能となる。
【００２７】
本発明は、携帯電話機やＰＨＳ（Personal Handyphone System）や、ＰＤＡ（Personal Digital Assistants ）などの表示デバイスが小さい携帯端末において、二次元的に広がるＷｅｂブラウジングや画像編集などのコンテンツを表示するアプリケーションソフトウェアに適用できるものである。
【図面の簡単な説明】
【００２８】
【図１】本発明の実施例による携帯端末の機能ブロック図である。
【図２】本発明の一実施例の動作を説明するための図である。
【図３】本発明の一実施例の動作を説明するためのフローチャートである。
【図４】本発明の他の実施例の動作を説明するための図である。
【図５】本発明の他の実施例の動作を説明するためのフローチャートである。
【図６】従来例を説明するための図である。
【符号の説明】
【００２９】
１  アンテナ
２  無線部
３  表示部
４  キー操作部
５  メモリ
６  制御部（ＣＰＵ）
４１  ジョグダイヤル（ジョグダイヤル兼４方向キー）
４２  ビュー方向切替ボタン
【図１】
2008152682.tif 000003
【図２】
2008152682.tif 000004
【図３】
2008152682.tif 000005
【図４】
2008152682.tif 000006
【図５】
2008152682.tif 000007
【図６】
2008152682.tif 000008